(57)【特許請求の範囲】
【請求項１】
記録媒体を搬送する搬送機構と、
前記搬送機構に搬送された記録媒体に画像を記録する記録ヘッドと、
前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、
前記記録ヘッドを制御する制御手段とを備えており、
前記制御手段は、
前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、
前記搬送機構が駆動されているか否かを判断する判断手段と、
前記記録ヘッドに対する駆動指令を記憶する駆動指令記憶手段と、
前記駆動指令から前記記録ヘッドを駆動させる駆動信号を生成する駆動信号生成手段とを有しており、
前記第１電圧が前記第２電圧よりも大きい場合、前記駆動信号生成手段は、前記搬送機構が駆動されていないと前記判断手段が判断したときは、前記駆動信号の波形に含まれるパルスの数を増加させることによって、前記搬送機構が駆動されている場合に比べて前記駆動指令に係る動作時間が増加するように、前記駆動信号を生成し、
前記第１電圧が前記第２電圧よりも小さい場合、前記駆動信号生成手段は、前記搬送機構が駆動されていないと前記判断手段が判断したときは、前記第１電圧が前記第２電圧よりも小さい場合、前記駆動信号生成手段は、前記搬送機構が駆動されていないと前記判断手段が判断したときは、前記駆動信号の波形に含まれるパルスの数を減少させることによって、前記搬送機構が駆動されている場合に比べて前記駆動指令に係る動作時間が減少するように、前記駆動信号を生成することを特徴とする画像記録装置。
【請求項２】
前記電源ユニットのトランスに係る同一の２次側巻線から出力された電圧が、前記搬送機構及び前記記録ヘッドに供給されていることを特徴とする請求項１に記載の画像記録装置。
【請求項３】
前記記録ヘッドが、液体を吐出する吐出口を有しており、
前記搬送機構が駆動されていないときの前記駆動指令が、前記吐出口から液体を吐出させるフラッシング指令、又は、前記吐出口から液体を吐出させることなく前記吐出口に形成されたメニスカスを振動させる不吐出フラッシング指令であることを特徴とする請求項１または２に記載の画像記録装置。
【請求項４】
記録媒体を搬送する搬送機構と、
前記搬送機構に搬送された記録媒体に画像を記録する記録ヘッドと、
前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、
前記記録ヘッドを制御する制御手段とを備えており、
前記記録ヘッドが、液体を吐出する吐出口を有しており、
前記制御手段は、
前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、
前記搬送機構が駆動されているか否かを判断する判断手段と、
前記記録ヘッドに対する駆動指令を記憶する駆動指令記憶手段と、
前記駆動指令から前記記録ヘッドを駆動させる駆動信号を生成する駆動信号生成手段とを有しており、
前記搬送機構が駆動されていないときの前記駆動指令が、前記吐出口から液体を吐出させるフラッシング指令、又は、前記吐出口から液体を吐出させることなく前記吐出口に形成されたメニスカスを振動させる不吐出フラッシング指令であり、
前記搬送機構が駆動されていないときの前記駆動指令が、前記不吐出フラッシング指令である場合において、
前記第１電圧が前記第２電圧よりも大きい場合、前記駆動信号生成手段は、前記搬送機構が駆動されていないと前記判断手段が判断したときは、前記駆動信号の波形に含まれるバルス全体による時間幅を長くすることによって、前記搬送機構が駆動されている場合に比べて前記駆動指令に係る動作時間が増加するように、前記駆動信号を生成し、
前記第１電圧が前記第２電圧よりも小さい場合、前記駆動信号生成手段は、前記搬送機構が駆動されていないと前記判断手段が判断したときは、前記駆動信号の波形に含まれるバルス全体による時間幅を短くすることによって、前記搬送機構が駆動されている場合に比べて前記駆動指令に係る動作時間が減少するように、前記駆動信号を生成することを特徴とする画像記録装置。
【請求項５】
前記電源ユニットは、前記搬送機構が駆動されているとき及び駆動されていないときのいずれにおいても、前記記録ヘッドに供給される電圧が前記記録ヘッドの制御回路の耐圧電圧以下となるように調整されていることを特徴とする請求項１〜４のいずれか１項に記載の画像記録装置。
【請求項６】
記録媒体を搬送する搬送機構と、前記搬送機構に搬送された記録媒体に画像を記録する記録ヘッドと、前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、前記記録ヘッドを制御する制御手段とを備えた画像記録装置に係る前記制御手段としてコンピュータを機能させるプログラムであって、
前記制御手段は、
前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、
前記搬送機構が駆動されているか否かを判断する判断手段と、
前記記録ヘッドに対する駆動指令を記憶する駆動指令記憶手段と、
前記駆動指令から前記記録ヘッドを駆動させる駆動信号を生成する駆動信号生成手段とを有しており、
前記第１電圧が前記第２電圧よりも大きい場合、前記駆動信号生成手段は、前記搬送機構が駆動されていないと前記判断手段が判断したときは、前記駆動信号の波形に含まれるパルスの数を増加させることによって、前記搬送機構が駆動されている場合に比べて前記駆動指令に係る動作時間が増加するように、前記駆動信号を生成し、
前記第１電圧が前記第２電圧よりも小さい場合、前記駆動信号生成手段は、前記搬送機構が駆動されていないと前記判断手段が判断したときは、前記駆動信号の波形に含まれるパルスの数を減少させることによって、前記搬送機構が駆動されている場合に比べて前記駆動指令に係る動作時間が減少するように、前記駆動信号を生成することを特徴とするプログラム。
【発明の詳細な説明】
【技術分野】
【０００１】
本発明は、記録媒体に画像を記録する画像記録装置及びプログラムに関する。
【背景技術】
【０００２】
印刷用紙を搬送する搬送機構及び印刷ヘッドに互いに異なる電圧を供給する電源ユニットを有するプリンタが知られている。搬送機構の消費電力は印刷ヘッドの消費電力を大きく上回るため、搬送機構の動作の有無によって印刷ヘッドに供給される電圧が変化することがある。この場合、例えば、搬送機構が動作しているときに印刷ヘッドに供給される電圧が最適値になるように電源ユニットを調整すると、搬送機構が停止しているときは、印刷ヘッドに供給される電圧が最適値から外れ、印刷ヘッドが所望の動作（インクジェットヘッドにおけるフラッシング動作など）を適切に行うことができなくなる。このような電圧の変化を抑制するため、電源ユニットの電圧出力部にレギュレータ回路を設けることで電圧を安定させる技術が知られている（例えば、特許文献１参照）。
【先行技術文献】
【特許文献】
【０００３】
【特許文献１】特開２００６−３４０２５号公報
【発明の概要】
【発明が解決しようとする課題】
【０００４】
しかしながら、レギュレータ回路を設けることは、プリンタの大型化及びコストの増加につながる。
【０００５】
本発明の目的は、記録装置の大型化及びコストの増加を抑制しつつ、搬送機構の動作の有無に関わらず記録ヘッドを機能させることができる画像記録装置及びプログラムを提供することにある。
【課題を解決するための手段】
【０００６】
本発明の画像記録装置は、記録媒体を搬送する搬送機構と、前記搬送機構に搬送された記録媒体に画像を記録する記録ヘッドと、前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、前記記録ヘッドを制御する制御手段とを備えている。前記制御手段は、前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、前記搬送機構が駆動されているか否かを判断する判断手段と、前記記録ヘッドに対する駆動指令を記憶する駆動指令記憶手段と、前記駆動指令から前記記録ヘッドを駆動させる駆動信号を生成する駆動信号生成手段とを有している。前記第１電圧が前記第２電圧よりも大きい場合、前記駆動信号生成手段は、前記搬送機構が駆動されていないと前記判断手段が判断したときは、前記駆動信号の波形に含まれるパルスの数を増加させることによって、前記搬送機構が駆動されている場合に比べて前記駆動指令に係る動作時間が増加するように、前記駆動信号を生成し、前記第１電圧が前記第２電圧よりも小さい場合、前記駆動信号生成手段は、前記搬送機構が駆動されていないと前記判断手段が判断したときは、前記第１電圧が前記第２電圧よりも小さい場合、前記駆動信号生成手段は、前記搬送機構が駆動されていないと前記判断手段が判断したときは、前記駆動信号の波形に含まれるパルスの数を減少させることによって、前記搬送機構が駆動されている場合に比べて前記駆動指令に係る動作時間が減少するように、前記駆動信号を生成する。
また、本発明の画像記録装置は、記録媒体を搬送する搬送機構と、前記搬送機構に搬送された記録媒体に画像を記録する記録ヘッドと、前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、前記記録ヘッドを制御する制御手段とを備えている。前記記録ヘッドが、液体を吐出する吐出口を有している。前記制御手段は、前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、前記搬送機構が駆動されているか否かを判断する判断手段と、前記記録ヘッドに対する駆動指令を記憶する駆動指令記憶手段と、前記駆動指令から前記記録ヘッドを駆動させる駆動信号を生成する駆動信号生成手段とを有している。前記搬送機構が駆動されていないときの前記駆動指令が、前記吐出口から液体を吐出させるフラッシング指令、又は、前記吐出口から液体を吐出させることなく前記吐出口に形成されたメニスカスを振動させる不吐出フラッシング指令であり、前記搬送機構が駆動されていないときの前記駆動指令が、前記不吐出フラッシング指令である場合において、前記第１電圧が前記第２電圧よりも大きい場合、前記駆動信号生成手段は、前記搬送機構が駆動されていないと前記判断手段が判断したときは、前記駆動信号の波形に含まれるバルス全体による時間幅を長くすることによって、前記搬送機構が駆動されている場合に比べて前記駆動指令に係る動作時間が増加するように、前記駆動信号を生成し、前記第１電圧が前記第２電圧よりも小さい場合、前記駆動信号生成手段は、前記搬送機構が駆動されていないと前記判断手段が判断したときは、前記駆動信号の波形に含まれるバルス全体による時間幅を短くすることによって、前記搬送機構が駆動されている場合に比べて前記駆動指令に係る動作時間が減少するように、前記駆動信号を生成する。
【０００７】
本発明のプログラムは、記録媒体を搬送する搬送機構と、前記搬送機構に搬送された記録媒体に画像を記録する記録ヘッドと、前記搬送機構及び前記記録ヘッドに電力を供給すると共に、前記搬送機構及び前記記録ヘッドが同時に駆動されたときに前記記録ヘッドに所定の電圧が供給されるように調整された電源ユニットと、前記記録ヘッドを制御する制御手段とを備えた画像記録装置に係る前記制御手段としてコンピュータを機能させるプログラムである。前記制御手段は、前記搬送機構が駆動されているときに前記電源ユニットが前記記録ヘッドに供給する第１電圧の電圧値と、前記搬送機構が駆動されていないときに前記電源ユニットが前記記録ヘッドに供給する第２電圧の電圧値と、を記憶する電圧値記憶手段と、前記搬送機構が駆動されているか否かを判断する判断手段と、前記記録ヘッドに対する駆動指令を記憶する駆動指令記憶手段と、前記駆動指令から前記記録ヘッドを駆動させる駆動信号を生成する駆動信号生成手段とを有している。前記第１電圧が前記第２電圧よりも大きい場合、前記駆動信号生成手段は、前記搬送機構が駆動されていないと前記判断手段が判断したときは、前記駆動信号の波形に含まれるパルスの数を増加させることによって、前記搬送機構が駆動されている場合に比べて前記駆動指令に係る動作時間が増加するように、前記駆動信号を生成し、前記第１電圧が前記第２電圧よりも小さい場合、前記駆動信号生成手段は、前記搬送機構が駆動されていないと前記判断手段が判断したときは、前記駆動信号の波形に含まれるパルスの数を減少させることによって、前記搬送機構が駆動されている場合に比べて前記駆動指令に係る動作時間が減少するように、前記駆動信号を生成する。
【０００８】
本発明によると、搬送機構の駆動の有無によって記録ヘッドに供給される電圧が変化しても、電圧記憶手段の記憶内容に基づいて、動作時間及び動作効率の少なくともいずれかが調整された駆動信号が生成されるため、記録ヘッドに供給される電圧を安定させるための回路を設けることなく記録ヘッドを機能させることができる。これにより、記録装置の大型化及びコストの増加を抑制することができる。
【０００９】
本発明においては、前記電源ユニットのトランスに係る同一の２次側巻線から出力された電圧が、前記搬送機構及び前記記録ヘッドに供給されていることが好ましい。これによると、電源ユニットの小型化を図ることができる。
【００１０】
また、本発明においては、前記記録ヘッドが、液体を吐出する吐出口を有しており、前記搬送機構が駆動されていないときの前記駆動指令が、前記吐出口から液体を吐出させるフラッシング指令、又は、前記吐出口から液体を吐出させることなく前記吐出口に形成されたメニスカスを振動させる不吐出フラッシング指令であることが好ましい。これによると、搬送機構が停止している場合であっても、記録ヘッドのメンテナンスを適切に行うことができる。
【００１１】
さらに、本発明において、前記駆動信号生成手段は、前記駆動信号の波形に含まれるパルスの数を増加または減少させることによって、前記駆動指令に係る動作時間を増加または減少させる。もしくは、前記駆動信号生成手段は、前記駆動信号の波形に含まれるバルス全体による時間幅を長くするまたは短くすることによって、前記駆動指令に係る動作時間を増加または減少させる。これによると、前記駆動指令に係る動作時間を変化させるための回路構成を簡略化することができる。
【００１２】
加えて、本発明において、前記電源ユニットは、前記搬送機構が駆動されているとき及び駆動されていないときのいずれにおいても、前記記録ヘッドに供給される電圧が前記記録ヘッドの制御回路の耐圧電圧以下となるように調整されていることが好ましい。これによると、記録ヘッドの制御回路が破損するのを確実に防止することができる。
【発明の効果】
【００１３】
本発明によると、搬送機構の駆動の有無によって記録ヘッドに供給される電圧が変化しても、電圧値記憶手段の記憶内容に基づいて、動作時間及び動作効率の少なくともいずれかが調整された駆動信号が生成されるため、記録ヘッドに供給される電圧を安定させるための回路を設けることなく記録ヘッドを機能させることができる。これにより、記録装置の大型化及びコストの増加を抑制することができる。
【図面の簡単な説明】
【００１４】
【図１】本発明の実施形態によるインクジェットプリンタの概略側面図である。
【図２】図１のプリンタに含まれるインクジェットヘッドの流路ユニット及びアクチュエータユニットを示す平面図である。
【図３】図２の一点鎖線で囲まれた領域ＩＩＩを示す拡大図である。
【図４】図３のＩＶ−ＩＶ線に沿った部分断面図である。
【図５】図１に示すコントローラの機能ブロック図である。
【図６】図５に示す電圧値記憶部の機能を説明するための図である。
【図７】図５に示す駆動信号生成部の機能を説明するための図である。
【図８】図５に示す電圧調整部の構成を示す機能ブロック図である。
【図９】図５に示す電圧調整部の機能を説明するための図である。
【発明を実施するための形態】
【００１５】
以下、本発明の好適な実施の形態について、図面を参照しつつ説明する。
【００１６】
図１に示すように、インクジェットプリンタ１は、搬送機構２１と、搬送機構２１によって搬送された用紙Ｐに、ブラック、マゼンタ、シアン、イエローのインク滴をそれぞれ吐出する４つのインクジェットヘッド１０と、コントローラ１ｐとを有している。搬送機構２１において、ベルトローラ６、７と共に搬送ベルト８が回転することにより、搬送ベルト８上に載置された用紙Ｐが、４つのヘッド１０とプラテン９との間を通過するように搬送される。このとき、各ヘッド１０から用紙Ｐにインク滴が吐出されることで、用紙Ｐ上に所望の画像が印刷される。
【００１７】
次に、図２〜図４を参照し、ヘッド１０の構成について説明する。なお、図３では、アクチュエータユニット１７の下側にあって点線で示すべき圧力室１６及びアパーチャ１５を実線で示している。
【００１８】
図２〜図４に示すように、ヘッド１０は、上下に積層されたリザーバユニット１１及び流路ユニット１２、流路ユニット１２の上面１２ｘに固定された８つのアクチュエータユニット１７、各アクチュエータユニット１７に接合されたＦＰＣ等を有する。リザーバユニット１１には、カートリッジ（図示せず）から供給されたインクを一時的に貯溜するリザーバを含むインク流路が形成されている。流路ユニット１２には、上面１２ｘの開口１２ｙから下面（吐出面１０ａ）の各吐出口１４ａに至るインク流路が形成されている。アクチュエータユニット１７は、吐出口１４ａ毎の圧電型アクチュエータを有する。
【００１９】
リザーバユニット１１の下面には凹凸が形成されている。凸部は、流路ユニット１２の上面１２ｘにおけるアクチュエータユニット１７が配置されていない領域（図２に示す開口１２ｙを含む二点鎖線で囲まれた領域）に接着されている。凸部の先端面は、リザーバに接続し且つ流路ユニット１２の各開口１２ｙに対向する開口を有する。これにより、上記各開口を介して、リザーバ及び個別インク流路１４が連通している。凹部は、流路ユニット１２の上面１２ｘ、及びアクチュエータユニット１７の表面と、若干の隙間を介して対向している。
【００２０】
流路ユニット１２は、略同一サイズの矩形状の９枚の金属プレート１２ａ，１２ｂ，１２ｃ，１２ｄ，１２ｅ，１２ｆ，１２ｇ，１２ｈ，１２ｉを互いに積層し接着することにより形成された積層体である。流路ユニット１２のインク流路は、開口１２ｙを一端に有するマニホールド流路１３、マニホールド流路１３から分岐した副マニホールド流路１３ａ、及び、副マニホールド流路１３ａの出口から圧力室１６を介して吐出口１４ａに至る個別インク流路１４を含む。個別インク流路１４は、図４に示すように、吐出口１４ａ毎に形成されており、流路抵抗調整用の絞りとして機能するアパーチャ１５を含む。上面１２ｘにおける各アクチュエータユニット１７の接着領域には、圧力室１６を露出させる略菱形形状の開口がマトリクス状に配置されている。下面（吐出面１０ａ）における各アクチュエータユニット１７の接着領域に対向する領域には、圧力室１６と同様の配置パターンで、吐出口１４ａがマトリクス状に配置されている。
【００２１】
アクチュエータユニット１７は、図２に示すように、それぞれ台形の平面形状を有し、流路ユニット１２の上面１２ｘにおいて２列の千鳥状に配置されている。各アクチュエータユニット１７は、図３に示すように、当該アクチュエータユニット１７の接着領域内に形成された多数の圧力室１６の開口を覆っている。
【００２２】
アクチュエータユニット１７は、強誘電性を有するチタン酸ジルコン酸鉛（ＰＺＴ）系のセラミックス材料からなる３枚の圧電シートから構成されているピエゾ式アクチュエータである。最上層の圧電シートが、表面に形成された複数の個別電極とシート全面に形成された共通電極とに挟持されている。各個別電極は、圧力室１６と対向している。個別電極を共通電極と異なる電位にして圧電シートに分極方向の電界が印加されると、圧電シートにおける電界印加部分が圧電効果により歪む駆動活性部として働く。これに対応して、個別電極と圧力室１６とで挟まれた部分が、個別のアクチュエータとして働く。つまり、アクチュエータユニット１７は、圧力室１６の数に対応した複数のアクチュエータが作り込まれた圧電素子である。共通電極は、すべての圧力室１６に対応する領域において等しくグランド電位が付与されている。一方、後述するように、個別電極には駆動信号が供給される構成となっている。
【００２３】
ここで、アクチュエータユニット１７の駆動方法について述べる。例えば、分極方向と電界の印加方向とが同じであれば、駆動活性部は分極方向に直交する方向（平面方向）に縮む。ここで、アクチュエータユニット１７は、個別電極と共通電極とに挟持された圧電シートを駆動活性部が含まれる層とし、下側２枚の圧電シートを非活性層とした、いわゆるユニモルフタイプのアクチュエータである。電界印加部分（駆動活性部）が平面方向に縮んで非活性層との間で平面方向への歪みに差が生じると、圧電シート全体が圧力室１６側へ凸になるように変形（ユニモルフ変形）する。これにより圧力室１６内のインクに圧力（吐出エネルギー）が付与され、吐出口１４ａからインク滴が吐出される。
【００２４】
本実施形態においては、予め個別電極に所定の電位を付与しておき、吐出要求があるごとに一旦個別電極をグランド電位にした後、所定のタイミングで再び個別電極に所定の電位を付与するような駆動信号が供給される（図７参照）。この場合、個別電極がグランド電位となるタイミングで圧電シートが元の状態に戻り、圧力室１６の容積は初期状態（予め電圧が印加された状態）と比較して増加し、副マニホールド流路１３ａから個別インク流路１４へとインクが吸い込まれる。その後、再び個別電極に所定の電位が付与されたタイミングで圧電シートにおいて活性領域と対向する部分が圧力室１６側に凸となるように変形し、圧力室１６の容積低下によりインクの圧力が上昇し、吐出口１４ａからインク滴が吐出される。
【００２５】
次に、コントローラ１ｐについて説明する。コントローラ１ｐは、ＣＰＵ（Central Processing Unit）と、ＣＰＵが実行するプログラム及びこれらプログラムに使用されるデータを書き替え可能に記憶する不揮発性メモリと、プログラム実行時にデータを一時的に記憶するＲＡＭ（Random Access Memory）とを含んでいる。コントローラ１ｐを構成する各機能部は、これらハードウェアと不揮発性メモリ内のプログラムとが協働して構築されている。このプログラムは、フレキシブルディスク、ＣＤ−ＲＯＭ、メモリカード等の各種記録媒体に保存されており、これらの記録媒体から不揮発メモリにインストールされる。なお、記録媒体に記録された制御プログラムは、ＣＰＵで直接実行可能なものであってもよいし、不揮発メモリにインストールすることによって初めて実行可能となるものでもよい。また、暗号化されていたり、圧縮されていたりしてもよい。図５に示すように、コントローラ１ｐは、電源ユニット４１と、駆動指令受信部４２と、ヘッド制御部４３と、搬送機構制御部４４とを有している。
【００２６】
電源ユニット４１は、電圧Ｖ１及び電圧Ｖ２の電力をそれぞれ出力するマルチ出力の電源装置である。電源ユニット４１は、トランスに係る同一の２次側巻線から電圧Ｖ１及び電圧Ｖ２の電力を出力している。電圧Ｖ１の電力は搬送機構２１に、電圧Ｖ２の電力はコントローラ１ｐの電圧調整部５５を経由して（図５、図８参照）ヘッド１０にそれぞれ供給される。ここで、搬送機構２１の消費電力は、ヘッド１０の消費電力よりも遙かに大きいため、同一の２次側巻線から電圧Ｖ１及び電圧Ｖ２の電力を出力している電源ユニット４１においては、搬送機構２１が駆動されているときにヘッド１０に供給される電圧（以下、第１電圧）が、搬送機構２１が駆動されていないときにヘッド１０に供給される電圧（以下、第２電圧）より高くなる。したがって、搬送機構２１とヘッド１０とが同時に駆動される印刷時において、ヘッド１０に供給される電圧Ｖ２が最適値になるように電源ユニット４１が調整されている。また、搬送機構２１が駆動されているとき及び駆動されていないときのいずれにおいても、電圧Ｖ２がヘッド１０の制御回路の耐圧電圧以下になるように、電源ユニット４１が調整されている。
【００２７】
駆動指令受信部４２は、図示しないクライアント端末からの駆動指令を受信する。駆動指令には、搬送機構２１に搬送された用紙Ｐに対して吐出口１４ａからインク滴を吐出させる印刷指令と、搬送機構２１を停止させた状態で、吐出口１４ａからインク滴を吐出させるフラッシングや吐出口１４ａに形成されたインクのメニスカスを振動させる不吐出フラッシングを含むメンテナンス指令とを含む。なお、印刷指令からメンテナンス指令を生成してもよい。
【００２８】
ヘッド制御部４３は、駆動指令受信部４２が受信した駆動指令に基づいて、ヘッド１０を制御する。搬送機構制御部４４は、駆動指令受信部４２が受信した駆動指令に基づいて、搬送機構２１を制御する。
【００２９】
ヘッド制御部４３について詳細に説明する。ヘッド制御部４３は、駆動指令記憶部５１と、電圧値記憶部５２と、搬送機構駆動判断部５３と、駆動信号生成部５４と、電圧調整部５５とを有している。駆動指令記憶部５１は、駆動指令受信部４２が受信した駆動指令を記憶する。
【００３０】
電圧値記憶部５２は、印刷時（搬送機構２１が駆動されているとき）、メンテナンス時（搬送機構２１が駆動されていないとき）のそれぞれについて、電源ユニット４１が搬送機構２１に供給する電圧Ｖ１及びヘッド１０に供給する電圧Ｖ２の電圧値を記憶している。つまり、電圧値記憶部５２は、ヘッド１０に供給する第１電圧及び第２電圧の電圧値を記憶している。第１電圧及び第２電圧の電圧値は、予め計測された実測値である。上述したように、搬送機構２１の駆動の有無によって、ヘッド１０に供給される電圧Ｖ２が変動する。本実施形態においては、図６に示すように、搬送機構２１及びヘッド１０が駆動される印刷時においては、電圧Ｖ１が２４Ｖ、電圧Ｖ２が３５Ｖ（第１電圧）となっており、搬送機構２１が駆動されずヘッド１０のみが駆動されるメンテナンス時においては、電圧Ｖ１がＯＦＦ、電圧Ｖ２が３３Ｖ（第２電圧）となっている。
【００３１】
図５に戻って、搬送機構駆動判断部５３は、搬送機構２１が駆動されているか否かを判断する。
【００３２】
駆動信号生成部５４は、駆動指令受信部４２に記憶された駆動指令に基づいてヘッド１０を駆動させる駆動信号を生成する。生成された駆動信号は、電圧調整部５５を介してヘッド１０に供給される。駆動信号生成部５４は、駆動指令により吐出口１４ａからインク滴を吐出させるとき、図７（ａ）に示す吐出波形を含む駆動信号を生成し、駆動指令により吐出口１４ａのメニスカスを振動させるとき、図７（ｂ）に示す振動波形を含む駆動信号を生成する。なお、吐出波形は、１印刷周期においてＨｉｇｈ電位から時間ｔ０の間グランド電位Ｖ０となるパルスを含む。このパルス幅は、圧力波が副マニホールド流路１３ａの出口から吐出口１４ａに至る距離ＡＬ（Acoustic Length）長を伝播する時間と等しい。なお、図７（ａ）の波形は、小滴のインク滴を吐出するときの波形であり、１つのパルスを有している。中滴のインク滴を吐出するときの波形は、２つのパルスを連続して並べて構成し、大滴のインク滴を吐出するときの波形は、３つのパルスを連続して並べて構成する。また、振動波形は、Ｈｉｇｈ電位から時間ｔ１の間グランド電位Ｖ０となるパルスが所定の周期で時間ｔ２の間繰り返される。このパルス幅は、圧力波がＡＬ長を伝播する時間の１／３以下であることが好ましい。
【００３３】
さらに、駆動信号生成部５４は、搬送機構２１が駆動されていないと搬送機構駆動判断部５３が判断した場合、第１電圧の電圧値が第２電圧の電圧値より大きければ、駆動指令に係る動作時間が初期値（搬送機構２１が駆動されているときの動作時間）より増加するように駆動信号を生成し、第１電圧の電圧値が第２電圧の電圧値より小さければ、駆動指令に係る動作時間が初期値より減少するように駆動信号を生成する。
【００３４】
本実施形態においては、搬送機構２１が駆動されていないメンテナンス時の電圧Ｖ２の電圧値（第２電圧３３Ｖ）が、搬送機構２１が駆動されている印刷時の電圧Ｖ２の電圧値（第１電圧３５Ｖ）未満となっているため（図６参照）、メンテナンス時の駆動指令に係る動作時間が初期値より増加するように駆動信号を生成する。具体的には、フラッシングを行うときの吐出波形のパルス数が増加するように、不吐出フラッシングを行うときの振動波形の時間ｔ２が長くなるように、すなわち、振動波形に係るパルス数が増加するように駆動信号を生成する。逆に、搬送機構２１が駆動されていないメンテナンス時の電圧Ｖ２の電圧値が、搬送機構２１が駆動されている印刷時の電圧Ｖ２の電圧値を超えているときは、メンテナンス時の駆動指令に係る動作時間が初期値より減少するように駆動信号を生成する。具体的には、フラッシングを行うときの吐出波形のパルス数が減少するように、不吐出フラッシングを行うときの振動波形の時間ｔ２が短くなるように、すなわち、振動波形に係るパルス数が減少するように駆動信号を生成する。なお、時間ｔ２は同じとして時間ｔ１とフラッシングを行うときの吐出波形のパルス数を変更してもよい。
【００３５】
図５に戻って、電圧調整部５５は、電源ユニット４１からヘッド１０に出力される電圧Ｖ２を、ヘッド１０のアクチュエータユニット１７を駆動するのに最適な電圧に調整する。図８に示すように、各アクチュエータユニット１７は、流路ユニット１２に対する固定位置や製造精度のばらつきにより動作特性が互いに異なるため、電圧の調整は、各ヘッド１０のアクチュエータユニット１７（ｕｎｉｔ１〜ｕｎｉｔ８）毎に行われる。電圧調整部５５は、各ヘッド１０についてアクチュエータユニット１７（ｕｎｉｔ１〜ｕｎｉｔ８）に対応する８つの電圧調整回路５６と電圧指令部５７とを有している。
【００３６】
電圧指令部５７は、搬送機構２１が駆動されていると搬送機構駆動判断部５３が判断した場合、及び、搬送機構２１が駆動されていないと搬送機構駆動判断部５３が判断し且つメンテナンス時において不吐出フラッシングを行う場合は、各ｕｎｉｔ１〜ｕｎｉｔ８のそれぞれについて、各ｕｎｉｔ１〜ｕｎｉｔ８が均一に駆動されるように予め決定された電圧を指令電圧に決定する。また、電圧指令部５７は、搬送機構２１が駆動されていないと搬送機構駆動判断部５３が判断した場合でメンテナンス時においてフラッシングを行う場合は、ｕｎｉｔ１〜ｕｎｉｔ８について電圧調整回路５６による電圧が調整可能な範囲の最大電圧の最小値を、全てのｕｎｉｔ１〜ｕｎｉｔ８に対する指令電圧に決定する。本実施形態においては、図９に示すように、各ｕｎｉｔ１〜ｕｎｉｔ８が均一に駆動されるように予め決定された電圧が２１Ｖ〜２８Ｖとなっている。電圧指令部５７は、搬送機構２１が駆動されていないと搬送機構駆動判断部５３が判断し且つメンテナンス時においてフラッシングを行う場合は、搬送機構２１が駆動されていないことによって、電源ユニット４１からの出力電圧が３５Ｖから３３Ｖに低下したときに、各電圧調整回路５６による電圧が調整可能な範囲の最大電圧の最小値である２６Ｖを、全てのｕｎｉｔ１〜ｕｎｉｔ８に対する指令電圧に決定する。
【００３７】
電圧調整回路５６は、電源ユニット４１から出力電圧を電圧指令部５７が決定した指令電圧に調整すると共に、駆動信号生成部５４が生成した駆動信号を指令電圧に増幅して対応するアクチュエータユニット１７に供給する。
【００３８】
以上のように、本実施形態のインクジェットプリンタ１によると、搬送機構２１の駆動の有無によってヘッド１０に供給される電圧Ｖ２が変化しても、電圧値記憶部５２の記憶内容に基づいて、動作時間が調整された駆動信号が生成されるため、ヘッド１０に供給される電圧を安定させるための回路を設けることなくヘッド１０を機能させることができる。これにより、プリンタ１の大型化及びコストの増加を抑制することができる。
【００３９】
また、電源ユニット４１のトランスに係る同一の２次側巻線から出力された電圧が、搬送機構２１及びヘッド１０に供給されているため、電源ユニット４１の小型化を図ることができる。
【００４０】
加えて、搬送機構２１が駆動されていないときの駆動指令が、フラッシング、又は、不吐出フラッシングに係る指令であるため、搬送機構２１が停止している場合であっても、ヘッド１０のメンテナンスを適切に行うことができる。
【００４１】
さらに、駆動信号生成部５４は、駆動信号の波形に含まれるパルスの数を調整することによって、駆動指令に係る動作時間を変化させるため、駆動指令に係る動作時間を変化させるための回路構成を簡略化することができる。
【００４２】
加えて、電源ユニット４１は、搬送機構２１が駆動されているとき及び駆動されていないときのいずれにおいても、ヘッド１０に供給される電圧がヘッド１０の制御回路の耐圧電圧以下となるように調整されているため、ヘッド１０の制御回路が破損するのを確実に防止することができる。
【００４３】
以上、本発明の好適な実施の形態について説明したが、本発明は上述の実施の形態に限られるものではなく、特許請求の範囲に記載した限りにおいて様々な変更が可能なものである。例えば、上述の実施形態では、駆動信号の波形に含まれるパルスの数を調整することによって、駆動指令に係る動作時間を変化させる構成であるが、パルス幅及びパルスの発生タイミングなどを選択又は組み合わせることによって、駆動指令に係る動作効率を変化させる構成であってもよい。具体例として、（ａ）パルスのhighの時間長により吐出・非吐出の強弱を調整する、（ｂ）パルスの間隔長を調整してタイミングを変更し、吐出・非吐出の強弱を調整する、（ｃ）パルス数、パルス幅、パルスタイミングの組み合わせをソフト処理することによって吐出・非吐出の強弱を調整する、といった手法を採用することができる。
【００４４】
また、上述の実施形態では、トランスに係る同一の２次側巻線から出力された電圧が、搬送機構２１及びヘッド１０に供給される電源ユニット４１に本発明を適用した例について説明したが、電源ユニットから一方の出力の程度によって、他の出力が影響を受ける他の構成においても本発明は適用可能である。また、図５において、Ｖ１が搬送機構２１に印加され、Ｖ２が電圧調節部５５を介してインクジェットヘッド１０に印加されているが、Ｖ２が搬送機構２１に印加され、Ｖ１が電圧調節部５５を介してインクジェットヘッド１０に印加される構成としてもよい。その場合はＶ１とＶ２の大小関係が上述の実施形態と逆となる。
【００４５】
加えて、上述の実施形態においては、搬送機構２１が駆動されていないときの駆動指令が、フラッシング、又は、不吐出フラッシングに係る指令となっているが、搬送機構２１が駆動されていないときの駆動指令の種類は問わない。例えば、搬送機構２１が駆動されていない状態で画像を形成するためのインクを吐出させる指令であってもよい。
【００４６】
さらに、上述の実施形態においては、駆動信号生成部５４は、駆動信号の波形に含まれるパルスの数を調整することによって、駆動指令に係る動作時間を変化させる構成であるが、パルスの数、パルス幅及びパルスの発生タイミングの少なくともいずれかを調整することによって、駆動指令に係る動作時間を変化させる構成であればよい。
【００４７】
本発明は、インク以外の液体を吐出する液体吐出ヘッドを有していてもよい。また、レーザープリンターにも適用可能である。さらに、プリンタに限定されず、画像記録を行う他の装置、例えば、ファクシミリやコピー機にも適用可能である。
【符号の説明】
【００４８】
１     インクジェットプリンタ
１ｐ   コントローラ
１０   インクジェットヘッド
１７   アクチュエータユニット
２１   搬送機構
４１   電源ユニット
４２   駆動指令受信部
４３   ヘッド制御部
４４   搬送機構制御部
５１   駆動指令記憶部
５２   電圧値記憶部
５３   搬送機構駆動判断部
５４   駆動信号生成部
５５   電圧調整部
５６   電圧調整回路
５７   電圧指令部
【図１】
0005712696.tif 000002
【図２】
0005712696.tif 000003
【図３】
0005712696.tif 000004
【図４】
0005712696.tif 000005
【図５】
0005712696.tif 000006
【図６】
0005712696.tif 000007
【図７】
0005712696.tif 000008
【図８】
0005712696.tif 000009
【図９】
0005712696.tif 000010